(57)【要約】【課題】    送信アンテナが送信をするとき、送信出力を向上し、正常な動作を確保可能な携帯型キーレス装置を提供する。【解決手段】  送信アンテナ５５と、三方向に配設された受信アンテナ体５１,５２と５３とを有する受信アンテナ５４とを備えるアンテナ装置５０を有する携帯型キーレス装置１０。  この送信アンテナ５５がこの受信アンテナ５４のいずれか一つの受信アンテナ体５２に沿って延びるように配設されていることを特徴とする。【選択図】  図２
2005307485.tif 000002
【特許請求の範囲】
【請求項１】
送信アンテナと、
三方向に配設された受信アンテナ本体を有する受信アンテナとを備え、
前記送信アンテナが前記受信アンテナのいずれか一つの受信アンテナ体に沿って延びるように配設されていることを特徴とするアンテナ装置。
【請求項２】
前記送信アンテナと受信アンテナとが本体ケース内に配置され、前記本体ケースの内周縁に溝が形成され、前記送信アンテナが前記溝の中に配設され、前記受信アンテナが前記本体ケースに略ループ状に配設されていることを特徴とする請求項1に記載のアンテナ装置。
【請求項３】
前記受信アンテナ体が前記本体ケースに取付けられた回路基板に互いに直交する方向に配設され、前記送信アンテナが内周縁の溝に配設されていることを特徴とする請求項２に記載のアンテナ装置。
【請求項４】
送信アンテナと、
三方向に配設された受信アンテナ本体を有する受信アンテナと、
送受信を制御する回路と、を備える携帯型キーレス装置あって、
前記送信アンテナが前記受信アンテナのいずれか一つの受信アンテナ体に沿って延びるように配設されていることを特徴とする携帯型キーレス装置。
【請求項５】
前記送信アンテナと受信アンテナとが本体ケース内に配置され、前記本体ケースの内周縁に溝が形成され、前記送信アンテナが前記溝の中に配設され、前記受信アンテナ体の少なくとも一つが前記本体ケース内周縁に沿って、前記送信アンテナの一部と隣接してループ状に配設されていることを特徴とする請求項４に記載の携帯型キーレス装置。
【発明の詳細な説明】
【技術分野】
【０００１】
本発明は、アンテナ装置及びキーを用いず、例えば車両のドアをロック・アンロックする携帯型キーレス装置に関する。
【背景技術】
【０００２】
従来、この種の携帯型キーレス装置として、特許文献1と２に示されたものがある。
【０００３】
この特許文献1に示された携帯型キーレス装置は、自動車等に搭載された車載機と、ユーザが別個に携帯している携帯機とを利用して無線信号により、通信が行われていた。
【０００４】
また、特許文献２に示された携帯型キーレス装置において、携帯機の送信アンテナの増設により、キーレス装置の動作性能の確保、送信アンテナの送信機能を向上させる方法が提案されている。
【０００５】
しかしながら、このような方法を用いた携帯型キーレス装置の送信アンテナが、ＳＷ（スイッチ）操作時に手で覆われてしまう部分に配置されていた。
【０００６】
従って、送信のとき、送信アンテナからの送信出力が低下してしまい、交信に不具合な影響を与える虞があった。
【０００７】
また、携帯型キーレス装置における送信アンテナ増設用スペースが必要となる。その一方、送信アンテナを増設して送信機能を向上させるとすると、必要以上の駆動電源が消耗される虞があった。
【特許文献１】特開２００３−３２８６１５号公報  図１
【特許文献２】特開２００２−３３９６１１号公報  図３
【発明の開示】
【発明が解決しようとする課題】
【０００８】
そこで、本発明の目的は、上述のような不具合を鑑み、送信アンテナが送信をするとき、送信出力を向上し、正常な動作を確保可能なアンテナ装置及び携帯型キーレス装置を提供することにある。
【課題を解決するための手段】
【０００９】
上記課題を解決するために、請求項１に記載のアンテナ装置は、送信アンテナと、三方向に配置された受信アンテナ本体を有する受信アンテナとを備え、
前記送信アンテナが前記受信アンテナのいずれか一つの受信アンテナ体に沿って延びるように配設されていることを特徴とする。
【００１０】
請求項２に記載のアンテナ装置は、請求項1に記載のアンテナ装置において、前記送信アンテナと受信アンテナとが本体ケース内に配置され、前記本体ケースの内周縁に溝が形成され、前記送信アンテナが前記溝の中に配設され、前記受信アンテナが前記本体ケースに略ループ状に配設されていることを特徴とする。
【００１１】
請求項３に記載のアンテナ装置は、請求項２に記載のアンテナ装置において、前記受信アンテナ体が前記本体ケースに取付けられた回路基板に互いに直交する方向に配設され、前記送信アンテナが内周縁の溝に配設されていることを特徴とする。
【００１２】
請求項４に記載のアンテナ装置を有する携帯型キーレス装置は、送信アンテナと、三方向に配設された受信アンテナ本体を有する受信アンテナと、送受信を制御する回路とを備える携帯型キーレス装置あって、前記送信アンテナが前記受信アンテナのいずれか一つの受信アンテナ体に沿って延びるように配設されていることを特徴とする。
【００１３】
請求項５に記載のアンテナ装置を有する携帯型キーレス装置は、請求項４に記載のアンテナ装置を有する携帯型キーレス装置において、前記送信アンテナと受信アンテナとが本体ケース内に配置され、前記本体ケースの内周縁に溝が形成され、前記送信アンテナが前記溝の中に配設され、前記受信アンテナ体の少なくとも一つが前記本体ケース内周縁に沿って、前記送信アンテナの一部と隣接してループ状に配設されていることを特徴とする。
【発明の効果】
【００１４】
本発明の請求項１によれば、アンテナ装置は、送信アンテナと、三方向に配設された受信アンテナ本体を有する受信アンテナとを備え、前記送信アンテナが前記受信アンテナのいずれか一つの受信アンテナ体に沿って延びるように配設されている。つまり、送信アンテナは、操作時に手で覆われないように、配置されているため、送信出力が向上され、正常な交信を行うことができる。
【００１５】
また、本発明の請求項２によれば、前記送信アンテナと受信アンテナとが本体ケース内に配置され、前記本体ケースの内周縁に溝が形成され、前記送信アンテナが前記溝の中に配設され、前記受信アンテナが前記本体ケースに略ループ状に配設されていることにより、アンテナ装置の構造がコンパクト化される。また、一方の受信側アンテナは、予め他方の方向のアンテナとともに、電子部品が設けられた基板等とともに、サブアセンブリつまり仮組立てが容易にでき、より組み立て効率が良好である。
【発明を実施するための最良の形態】
【００１６】
以下、本発明のアンテナ装置を携帯型キーレス装置に適用した好適な実施形態を、図面を参照して詳細に説明する。
【００１７】
本発明に係る携帯型キーレス装置１０は、図１〜２に示すように、凹部２０を有する本体ケース３０と、この本体ケースに対して開閉可能な蓋４０と、本体ケース３０に取付けられたアンテナ装置５０と、凹部２０に取付けられた回路基板６０と、この回路基板上に取付けられ送受信回路を有する制御ユニット７０とを備える。
【００１８】
本体ケース３０と蓋４０は同種類の樹脂から成る。本体ケース３０と蓋４０の一端には、夫々本体ケース３０と蓋４０と一体の開口３２を有する突起部３４が設けられている。
【００１９】
この開口は、図示せずのキーホルダに用いられるものである。蓋４０はボルトＢＳにより本体ケース３０に取付けられる。
【００２０】
また、図２に示すように、アンテナ装置５０は、受信アンテナ５４と送信アンテナ５５とを備える。この送受信アンテナは金属線からなる。
【００２１】
受信アンテナ５４は、互いに直交するＸ、Ｚ、Ｙの方向に配設される３個の受信アンテナ体５１、５２と５３とを有する。この３個の受信アンテナ体は夫々ループ状に形成されている。
【００２２】
この３個の受信アンテナ体は、回路基板上６０に図２に示すように設けられている。  
【００２３】
送信アンテナ５５は、本体ケース３０の内周壁３６に設けられた溝３８に沿ってループ状に配設されている。同じく、突起部３４にも溝３９が形成され、送信アンテナ５５の一部が配設される。
【００２４】
即ち、送信アンテナ５５は、回路基板６０上に互いに直交するＸ、Ｙ、Ｚの３方向のアンテナ体５１、５２と５３のうち、例えば少なくともＺ方向のアンテナ体５２の略全周囲に亘り囲むように配設されている。つまり、本体ケース３０と蓋４０との組立体を持ったとき、手で覆われないような構造になっている。
【００２５】
そのため、送信時に前記受信アンテナの例えばＺ受信アンテナ体５２を誘起させ、送信アンテナとして兼用することができる。よって、送信アンテナの送信出力が向上され、正常な交信を行うことができる。
【００２６】
ここでは、受信アンテナと送信アンテナとを誘起させる方法について、従来と同様であるため、省略する。
【００２７】
また、このような構造を用いると、別個の送信アンテナを増設ける必要がない。
【００２８】
送信アンテナと受信アンテナと回路基板の組立てが容易にでき、組立て効率が高くなる効果も得られる。
【００２９】
上記の発明の好適な実施の形態では、送信アンテナと受信アンテナの配設において、送信アンテナ５５と受信アンテナ５４の少なくとも一個が略重複するような構成となっている。
【００３０】
次に、送信アンテナと受信アンテナ配設の重複構造において、図４〜６に示す変形実施例をもって簡単に述べる。
【００３１】
変形実施例1
図4に示すように、送信アンテナ５５が本体ケース３０の内周壁に埋設される。受信アンテナ５４の少なくとも受信アンテナ体５２が回路基板６０外周を囲むように延び、略ループ状に送信アンテナ５５と隣接して配設される構造にしても良い。
【００３２】
即ち、本体ケース３０内外方向で重複するように配置されている。
【００３３】
これにより、送信アンテナは手等で覆われない構造が実現でき、送信アンテナ５５の送信出力が向上される効果が得られる。
【００３４】
変形実施例２
または、図５に示すように、送信アンテナ５５は回路基板６０の本体ケース３０の凹部３０の下部に埋設されている。受信アンテナ体５２が回路基板６０上の対向位置に配設され、蓋４０を合わせる面内外方向で重複しても良い。
【００３５】
これにより、送信アンテナは手等で覆われない構造が実現でき、送信アンテナ５５の送信出力が向上される効果が得られる。また、キーレス装置のコンパクト化が実現可能である。
【００３６】
変形実施例３
図６に示すように、送信アンテナ５５が本体ケース３０内周壁に埋設され、受信アンテナ３４が回路基板６０の外周沿いに配設され、本体ケース３０内外方向で重複するように配置されても良い。
【００３７】
または、本体ケース３０と蓋４０の突起部に送信アンテナ５５が挟持されるような図示しない溝が形成され、この溝に送信アンテナ５５が挟持され構造にしても良い。
【００３８】
これら構造からも、別個の送信アンテナを増設する必要がないという効果が得られる。また、送信アンテナの送信出力が向上され、正常な交信を行うことができる。
【００３９】
なお、回路基板６０は、本体ケース３０の凹部２０に設けられた図示せずのボスに支持され本体ケースに取付けられている。
【００４０】
送信アンテナ５５が、図３に示すように、アンテナ配線を介して回路基板６０に設けられた送信部８０に接続される。
【００４１】
また、受信アンテナ５４が、アンテナ配線を介して回路基板６０に設けられた受信部９０に接続される。
【００４２】
制御ユニット７０は、携帯型キーレス装置全体を制御する手段であり、送受信部等をプログラム制御する中央処理装置ＣＰＵと、送受信プログラムや車両送受機１００の識別コード等を記憶するメモリとを有する。
【００４３】
制御ユニット７０には、受信アンテナ５５及び受信部９０が、信号線で接続される。受信アンテナ５４が車両送受機１００から送信される識別信号１１２を受信する。
【００４４】
受信部９０は受信アンテナ５４で受信した識別信号１１２を復調等して制御ユニット７０へ送る機能を有する。
【００４５】
また、制御ユニット７０には、車載送受信機１１０へ応答識別信号２２を送信する送信アンテナ５５及び送信部８０が信号線で接続される。
【００４６】
送信部８０は、制御ユニット７０から送信される識別ＩＤ信号等を含んだデータを所定の無線周波数の応答識別信号２２に変調等して、送信アンテナ５５を介して送信させる機能を有する。
【００４７】
本発明では、ループ状アンテナを望ましい実施形態として述べているが、その構成、形状、及び取付け位置は、良好なアンテナ感度を得られる構成であれば本実施の形態に限定されない。
【００４８】
本実施形態では、送信アンテナと受信アンテナは金属線からなっているが、細幅の金属板により構成されても良い。
【００４９】
本発明では、リモコンスイッチを用いず、車載側と、携帯機側の認識ＩＤにより交信操作行われるようになっているが、リモコンスイッチとキーとが一体タイプとするような構造にしても良い。
【図面の簡単な説明】
【００５０】
【図１】携帯型キーレス装置の斜視分解図
【図２】アンテナ装置にける送信と受信アンテナの配設関係を示す平面図
【図３】携帯型キーレスと車載機のブロック図
【図４】送信アンテナと受信アンテナの配設関係の変形図
【図５】送信アンテナと受信アンテナの配設関係の変形図
【図６】送信アンテナと受信アンテナの配設関係の変形図
【符号の説明】
【００５１】
１０  携帯型キーレス装置
２０  凹部
３０  本体ケース
４０  蓋
５０  アンテナ装置
５１、５２、５３  受信アンテナ体
５５  送信アンテナ
６０  回路基板
【図１】
2005307485.tif 000003
【図２】
2005307485.tif 000004
【図３】
2005307485.tif 000005
【図４】
2005307485.tif 000006
【図５】
2005307485.tif 000007
【図６】
2005307485.tif 000008